(57)【要約】【課題】筆記具の外観性が大きく損なわれることがなく、しかも、攪拌の必要性を容易に認識し、筆記使用前に攪拌操作を忘れることを防止でき、また、筆記使用するためのインキタンク内のインキが太陽光に晒され劣化するおそれがない筆記具を提供する。【解決手段】筆記具１が、第１のインキタンク３１と、第２のインキタンク４１と、ペン先３１とを備える。第１のインキタンク３１内に、顔料等の沈降性成分を含む第１のインキ３１と、該第１のインキ３１を撹拌するための攪拌部材３２とを収容する。第１のインキタンク３内と第２のインキタンク４内とを非連通状態に構成する。第２のインキタンク４内の第２のインキ４１を外部に吐出不能に構成する。第１のインキタンク３内を外部より視認不能に構成する。第２のインキタンク４内を外部より視認可能に構成する。第２のインキタンク４の容量を第１のインキタンク３の容量より小さく設定する。【選択図】  図１
2009178900.tif 000002
【特許請求の範囲】
【請求項１】
顔料等の沈降性成分を含む第１のインキと該第１のインキを撹拌するための撹拌部材とを内部に収容した第１のインキタンクと、前記第１のインキタンクと接続され且つ第１のインキが吐出可能なペン先と、顔料等の沈降性成分を含む第２のインキを内部に収容した第２のインキタンクとを備え、前記第１のインキタンク内と前記第２のインキタンク内とを非連通状態に構成し、前記第２のインキタンク内の第２のインキを外部に吐出不能に構成し、前記第１のインキタンク内を外部より視認不能に構成し、前記第２のインキタンク内を外部より視認可能に構成し、前記第２のインキタンクの容量を前記第１のインキタンクの容量より小さく設定したことを特徴とする筆記具。
【請求項２】
前記第１のインキと前記第２のインキとが同一成分からなる請求項１記載の筆記具。
【請求項３】
筆記具本体が前記ペン先と前記第１のインキタンクとを備え、前記筆記具本体のペン先側に着脱自在に設けられるキャップの閉塞端部に、前記第２のインキタンクを設けた請求項１または２記載の筆記具。
【請求項４】
筆記具本体が、前記ペン先と前記第１のインキタンクと前記第２のインキタンクとを備え、前記第１のインキタンクの後方に前記第２のインキタンクを設けた請求項１または２記載の筆記具。
【発明の詳細な説明】
【技術分野】
【０００１】
本発明は、筆記具に関する。詳細には、インキタンク内部にインキと、該インキを撹拌するための撹拌部材とを収容した筆記具に関する。
【背景技術】
【０００２】
従来、この種の筆記具において、インキタンク内に、インキと、該インキの成分を再分散させる撹拌部材とを収容した筆記具が広く知られている（例えば、特許文献１）。また、前記特許文献１には、インキタンクを透明材料により形成し、内部のインキを視認可能にする構成が記載されている。
【０００３】
【特許文献１】特開平９−２３４９８７号公報
【発明の開示】
【発明が解決しようとする課題】
【０００４】
前記従来の筆記具において、インキタンク内が外部より視認できない構成の場合、筆記使用前に攪拌操作を忘れがちであり、その際、適正なインキの吐出が得られないおそれがある。また、前記インキタンク内を外部より視認可能に構成した場合、大容量のインキタンク内のインキ成分の沈降分離状態が視認され、筆記具の外観性（見栄え）が損なわれるおそれや、インキタンク内のインキ成分が太陽光に晒され劣化するおそれ（例えば発色性の低下等）がある。
【０００５】
本発明は、前記従来の問題点を解決するものであって、筆記具の外観性が大きく損なわれることがなく、しかも、攪拌の必要性を容易に認識し、筆記使用前に攪拌操作を忘れることを防止でき、また、筆記使用するためのインキタンク内のインキが太陽光に晒され劣化するおそれがない筆記具を提供しようとするものである。尚、本発明で、「前」とはペン先側を指し、「後」とはその反対側を指す。
【課題を解決するための手段】
【０００６】
［１］本願の第１の発明は、顔料等の沈降性成分を含む第１のインキ３１と該第１のインキ３１を撹拌するための撹拌部材３２とを内部に収容した第１のインキタンク３と、前記第１のインキタンク３と接続され且つ第１のインキ３１が吐出可能なペン先２と、顔料等の沈降性成分を含む第２のインキ４１を内部に収容した第２のインキタンク４とを備え、前記第１のインキタンク３内と前記第２のインキタンク４内とを非連通状態に構成し、前記第２のインキタンク４内の第２のインキ４１を外部に吐出不能に構成し、前記第１のインキタンク３内を外部より視認不能に構成し、前記第２のインキタンク４内を外部より視認可能に構成し、前記第２のインキタンク４の容量を前記第１のインキタンク３の容量より小さく設定したこと（請求項１）を要件とする。（図１乃至図４参照）
【０００７】
前記第１の発明の筆記具１は、前記第１のインキタンク３内を外部より視認不能に構成し、第２のインキタンク４の容量を前記第１のインキタンク３の容量より小さく設定したことにより、大容量の第１のインキタンク３内のインキ成分の沈降分離状態を外部より視認できないため、筆記具の外観性が大きく損なわれるおそれがない。
【０００８】
また、前記第１の発明の筆記具１は、前記第１のインキタンク３内を外部より視認不能に構成したことにより、大容量の第１のインキタンク３内の第１のインキ３１（即ち筆記使用するインキ）が太陽光に晒され劣化するおそれがない。
【０００９】
また、前記第１の発明の筆記具１は、第１のインキタンク３内を外部より視認不能に構成しても、筆記使用前に第２のインキタンク４内を外部より視認することにより、第２のインキ４１の沈降状態を確認でき、第１のインキ３１の攪拌操作の必要性を容易に認識できる。その結果、筆記使用前に攪拌操作を忘れることを防止できる。
【００１０】
また、前記第１の発明の筆記具１は、第２のインキタンク４内の第２のインキ４１が外部に吐出不能に構成されることにより、第２のインキ４１が消費されないため、第１のインキタンク３のインキを完全に消費するまで、第２のインキタンク４内の第２のインキ４１を視認することができる。また、前記第１の発明の筆記具１は、第２のインキ４１を筆記に使用しないため、第２のインキ４１の太陽光による劣化を懸念する必要がない。尚、前記第２のインキタンク４内の第２のインキ４１が、外部に吐出不能に構成されるとは、例えば、ペン先等が第２のインキタンク４内と接続されていな構成が挙げられる。
【００１１】
［２］本願の第２の発明は、前記第１の発明において、前記第１のインキ３１と前記第２のインキ４１とが同一成分からなること（請求項２）を要件とする。
【００１２】
前記第２の発明の筆記具１は、第１のインキ３１と第２のインキ４１とが同一成分からなることにより、外部より視認できない第１のインキ３１と外部より視認可能な第２のインキ４１との沈降状態が確実に一致する。それにより、第１のインキ３１の沈降性成分の沈降状態を、第２のインキ４１の沈降性成分の沈降状態を視認することによって確実に把握できる。
【００１３】
［３］本願の第３の発明は、前記第１または第２の発明において、筆記具本体６が前記ペン先２と前記第１のインキタンク３とを備え、前記筆記具本体６のペン先側に着脱自在に設けられるキャップ５の閉塞端部に、前記第２のインキタンク４を設けたこと（請求項３）を要件とする。（図１及び図２参照）
【００１４】
前記第３の発明の筆記具１は、キャップ５の閉塞端部に第２のインキタンク４を設けたことにより、ペン立てや衣服のポケット等に収容状態で外部から第２のインキタンク４を容易に視認できる。そのため、攪拌操作の必要性を容易に認識でき、筆記使用前に攪拌操作を忘れることを防止できる。
【００１５】
［４］本願の第４の発明は、前記第１または第２の発明において、筆記具本体６が、前記ペン先２と前記第１のインキタンク３と前記第２のインキタンク４とを備え、前記第１のインキタンク３の後方に前記第２のインキタンク４を設けたこと（請求項４）を要件とする。（図３及び図４参照）
【００１６】
前記第４の発明の筆記具１は、筆記具本体６の第１のインキタンク３の後方に第２のインキタンク４を設けたことにより、筆記具本体６のペン先側を把持した際、第２のインキタンク４内が容易に視認できる。そのため、攪拌操作の必要性を容易に認識でき、筆記使用前に攪拌操作を忘れることを防止できる。また、前記第４の発明の筆記具１は、筆記具本体６の第１のインキタンク３の後方に第２のインキタンク４を設けたことにより、ペン先２と第１のインキタンク３とを容易に接続させることできる。
【発明の効果】
【００１７】
本発明の筆記具は、筆記具の外観性が大きく損なわれることがなく、しかも、攪拌の必要性を容易に認識し、筆記使用前に攪拌操作を忘れることを防止でき、また、筆記使用するためのインキタンク内のインキが太陽光に晒され劣化するおそれがない。
【発明を実施するための最良の形態】
【００１８】
＜第１の実施の形態＞
本発明の第１の実施の形態を図１及び図２に示す。
本実施の形態の筆記具１は、主に、ペン先２及び第１のインキタンク３を備えた筆記具本体６と、前記筆記具本体６のペン先側に着脱自在のキャップ５とからなる。
【００１９】
・筆記具本体
前記筆記具本体６は、円筒状の軸筒７と、前記軸筒７の前端開口部に連結される有底円筒状の第１のインキタンク３と、前記第１のインキタンク３の前端開口部に取り付けられるペン先２と、前記軸筒７の後端部に取り付けられる摩擦体８とからなる。
【００２０】
・第１のインキタンク
前記第１のインキタンク３は、不透明な合成樹脂から構成され、第１のインキタンク３内を外部より視認できない構成である。第１のインキタンク３内には、第１のインキ３１と攪拌部材３２とが収容される。前記第１のインキ３１は、熱変色性インキからなる。前記熱変色性インキは、可逆熱変色性組成物をマイクロカプセル中に内包したマイクロカプセル顔料（即ち第１のインキ３１の沈降性成分）を水等の溶媒中に分散させたものである。前記熱変色性インキは、発色状態から加熱により消色するタイプが採用される。前記攪拌部材３２は、金属製の球状体からなる。尚、第１のインキタンク３内を外部より視認不能にする構成は、前記以外にも、例えば、第１のインキタンク３の外面を不透明な部材や不透明な層で覆う構成を挙げることができる。
【００２１】
・ペン先
前記ペン先２は、第１のインキタンク３の前端開口部に前後方向に移動可能に取り付けられる。前記ペン先２と前記第１のインキタンク３との間には、ペン先２を後方に押圧することにより開口する弁装置が設けられる。前記ペン先２は、繊維束の棒状の樹脂加工体が採用される。前記ペン先２は、これ以外にも、例えば、ボールペンチップ、繊維束の熱融着加工体、フェルト加工体、パイプ状ペン体、先端にスリットを有する万年筆型板状ペン体、毛筆ペン体、合成樹脂の多孔質気泡体、軸方向のインキ誘導路を有する合成樹脂の押出成形体等が挙げられる。
【００２２】
・摩擦体
軸筒７の後端部には、弾性材料よりなる摩擦体８が取り付けられる。第１のインキ３１により得た熱変色性の筆跡を、前記摩擦体８によって摩擦しその摩擦により生じる摩擦熱で熱変色（消色）させることができる。
【００２３】
・キャップ
前記キャップ５の側壁外面にはクリップ５１が突設される。前記キャップ５の閉塞端部外面には第２のインキタンク４が固着される。
【００２４】
・第２のインキタンク
前記第２のインキタンク４内には、第２のインキ４１が収容される。前記第２のインキ４１は、第１のインキ３１と同一成分からなる。前記第２のインキタンク４は、透明材料（例えば透明合成樹脂）からなり、キャップの閉塞端部外面より外部に突出されている。それにより、外部から第２のインキタンク４内の第２のインキ４１を視認することができる。第２のインキタンク４の容量は、第１のインキタンク３の容量より小さく設定される。前記第２のインキタンク４は、有底筒体のタンク本体４ａと、タンク本体４ａの開口部に固着される蓋体４ｂとからなる。前記第２のインキタンク４は、前記蓋体４ｂを介してキャップ５の閉塞端部に嵌着される。尚、第２のインキタンク４内に第２のインキ４１とともに攪拌部材を収容することもできる。
【００２５】
前記第２のインキタンク４と前記第１のインキタンク３とは非連通状態に構成される。第２のインキタンク４には、ペン先等の外部への供給手段が接続されていないため、第２のインキタンク４内の第２のインキ４１は、外部に吐出不能に構成される。
【００２６】
＜第２の実施の形態＞
本発明の第２の実施の形態を図３及び図４に示す。
本実施の形態の筆記具１は、ペン先２と、第１のインキタンク３と、第２のインキタンク４とを備えた筆記具本体６からなる。
【００２７】
・筆記具本体
前記筆記具本体６は、円筒状の軸筒７と、前記軸筒７の前端開口部に連結される有底円筒状の第１のインキタンク３と、前記第１のインキタンク３の前端開口部に取り付けられるペン先２と、前記第１のインキタンク３の後方の軸筒７内に収容される第２のインキタンク４と、前記軸筒７の後端部に取り付けられる摩擦体８とからなる。
【００２８】
・窓孔
前記第２のインキタンク４が位置する軸筒７の側壁には、窓孔７１が複数、貫設され、前記窓孔７１を通して外部より第２のインキタンク４を視認することができる。
【００２９】
・第１のインキタンク
前記第１のインキタンク３は、不透明な合成樹脂から構成され、第１のインキタンク３内を外部より視認できない構成である。第１のインキタンク３内には、第１のインキ３１と攪拌部材３２とが収容される。前記第１のインキ３１は、熱変色性インキからなる。前記熱変色性インキは、可逆熱変色性組成物をマイクロカプセル中に内包したマイクロカプセル顔料（即ち第１のインキ３１の沈降性成分）を水等の溶媒中に分散させたものである。前記熱変色性インキは、発色状態から加熱により消色するタイプが採用される。前記攪拌部材３２は、金属製の球状体からなる。尚、第１のインキタンク３内を外部より視認不能にする構成は、前記以外にも、例えば、第１のインキタンク３の外面を不透明な部材や不透明な層で覆う構成を挙げることができる。
【００３０】
・ペン先
前記ペン先２は、第１のインキタンク３の前端開口部に前後方向に移動可能に取り付けられる。前記ペン先２と前記第１のインキタンク３との間には、ペン先２を後方に押圧することにより開口する弁装置が設けられる。前記ペン先２は、繊維束の棒状の樹脂加工体が採用される。前記ペン先２は、これ以外にも、例えば、ボールペンチップ、繊維束の熱融着加工体、フェルト加工体、パイプ状ペン体、先端にスリットを有する万年筆型板状ペン体、毛筆ペン体、合成樹脂の多孔質気泡体、軸方向のインキ誘導路を有する合成樹脂の押出成形体等が挙げられる。
【００３１】
・摩擦体
軸筒７の後端部には、弾性材料よりなる摩擦体８が取り付けられる。第１のインキ３１により得た熱変色性の筆跡を、前記摩擦体８によって摩擦しその摩擦により生じる摩擦熱で熱変色（消色）させることができる。
【００３２】
・第２のインキタンク
前記第２のインキタンク４内には、第２のインキ４１が収容される。前記第２のインキ４１は、第１のインキ３１と同一成分からなる。前記第２のインキタンク４は、透明材料（例えば透明合成樹脂）からなり、外部より軸筒７側壁の窓孔７１を通して第２のインキタンク４内の第２のインキ４１を視認することができる。第２のインキタンク４の容量は、第１のインキタンク３の容量より小さく設定される。前記第２のインキタンク４は、有底筒体のタンク本体４ａと、タンク本体４ａの開口部に固着される蓋体４ｂとからなる。尚、第２のインキタンク４内に第２のインキ４１とともに攪拌部材を収容することもできる。
【００３３】
前記第２のインキタンク４と前記第１のインキタンク３とは非連通状態に構成される。第２のインキタンク４には、ペン先等の外部への供給手段が接続されていないため、第２のインキタンク４内の第２のインキ４１は、外部に吐出不能に構成される。
【図面の簡単な説明】
【００３４】
【図１】本発明の第１の実施の形態の縦断面図である。
【図２】図１の外観を示す図である。
【図３】本発明の第２の実施の形態の縦断面図である。
【図４】図３の外観を示す図である。
【符号の説明】
【００３５】
１  筆記具
２  ペン先
３  第１のインキタンク
３１  第１のインキ
３２  撹拌部材
４  第２のインキタンク
４１  第２のインキ
４ａ  タンク本体
４ｂ  蓋体
５  キャップ
５１  クリップ
６  筆記具本体
７  軸筒
７１  窓孔
８  摩擦体
【図１】
2009178900.tif 000003
【図２】
2009178900.tif 000004
【図３】
2009178900.tif 000005
【図４】
2009178900.tif 000006